(57)【特許請求の範囲】
【請求項１】
一対の支持棒を互いに平行に所定距離を隔てて位置せしめた状態において、該一対の支持棒の両端部の所定長さ部分をそれぞれ把持部として残して、それら支持棒の対応する両端部間であって、それら把持部よりも支持棒中央部寄りの部位間を連結し、その間隔を維持する連結アームの一対を互いに平行に設けることにより、矩形枠体構造を形成せしめると共に、かかる矩形枠体構造を構成する支持棒部位間にシートを架設してなる担架において、
何れも炭素繊維強化樹脂からなる中空のパイプ部材にて形成されている第一及び第二のパイプを用い、該第一のパイプ内に該第二のパイプを挿入して、その挿入量によって長さが変化させられ得るようにした入れ子管式構造の伸縮可能パイプにて、前記一対の支持棒及び前記一対の連結アームをそれぞれ構成すると共に、該伸縮可能パイプに対して、目的とする長さにおいて前記第一のパイプへの前記第二のパイプの挿入量を固定する解除可能なロック機構を設け、更に該ロック機構による前記挿入量の固定を解除し、前記伸縮可能パイプの長さを任意の長さと為し得る解除機構を設け、
そして該ロック機構を、前記第一及び第二のパイプのうちの何れか一方のパイプに一端が固定されて収容され、他方のパイプ内に延びる芯棒と、該他方のパイプ内に収容され、該芯棒をクランプして固定せしめ、前記第一及び第二のパイプの相互の位置関係を保持するクランプチェーンとから構成する一方、前記解除機構を、該クランプチェーンを該芯棒の固定を解除する方向に移動せしめる、パイプ軸方向に移動可能な操作パイプを前記他方のパイプ内に配設して、構成すると共に、
該操作パイプをパイプ軸方向に移動せしめる操作リングを、前記他方のパイプ側における前記把持部に設けたことを特徴とする伸縮式担架。
【請求項２】
前記シートが、矩形の布の対向する両端部を連結してなる扁平な筒状形態を有し、該筒状形態の内部に前記一対の支持棒が挿入、配置されることにより、該一対の支持棒間におけるシートの架設が実現されている請求項１に記載の伸縮式担架。
【発明の詳細な説明】
【０００１】
【技術分野】
本発明は、傷病者等を乗せて運ぶ用具である伸縮式担架に係り、特に、その長手方向及び／又は幅方向における長さが変化せしめられ得るようにした伸縮式担架に関するものである。
【０００２】
【背景技術】
従来から、事故現場より傷病者等を乗せて運ぶ用具として、両端に把持部を有する一対の支持棒を互いに平行に所定距離を隔てて位置せしめた状態において、それら支持棒間にシートを架設してなる構成の担架が知られており、そしてそのような担架にあっては、傷病者等を支持するための強度を確保する上において、支持棒には鉄パイプが用いられている。また、かかる一対の支持棒としての鉄パイプの間の間隔を保持して、傷病者等の運搬を容易にするために、それら一対の鉄パイプ間には、クランク機構が設けられ、その伸展・折曲操作にて、使用状態と収容・保管状態が選択され得るようになっている。
【０００３】
しかしながら、そのような従来の担架にあっては、支持棒として鉄パイプが用いられているところから、重量があり、そのために、緊急災害時等に保管場所から現場まで長い距離の移動では、時間もかかり、また現場に到着したときには、その取扱者が疲れてしまい、その後の救助作業にも影響する等という問題が内在していたのであり、更に、鉄パイプによる支持のために、担架上に乗せられる傷病者等に対して、剛直な支持となるために、傷病者等に負担が加わる等の問題も内在していたのである。
【０００４】
また、支持棒間の間隔を維持するために、クランク機構を伸展すべく操作するときに、そのようなクランク機構の操作に手間がかかり、しかもクランク機構に手が挟まれる危険性もあって、使用時における担架の拡張作業に困難性を生じたり、また、作業の危険性も内在しており、更に、そのようなクランク機構による一対の支持棒の連結機構では、一対の支持棒の間隔を強固に保持することが困難であり、そのために、担架の長手方向における捩じり作用によって、シート上に乗せられる傷病者等の支持面が撓み、傷病者等に苦痛を与える場合もあった。
【０００５】
このため、本願出願人は、先に、特願平１０−３１３７０９号（特開２０００−１４００２６号公報）において、両端に把持部を有する支持棒の一対を互いに平行に所定距離を隔てて位置せしめた状態において、それら支持棒間に、シートを架設すると共に、それら支持棒の対応する両端部間を連結し、その間隔を維持する連結アームを設けてなる担架にして、前記一対の支持棒を、それぞれ、炭素繊維強化樹脂からなる中空のパイプ部材にて構成したことを特徴とする担架を提案し、これによって、緊急災害時等において、保管場所から現場まで極めて容易に持ち運びすることの出来る、軽量で、取り扱いの容易な担架を実現したのである。
【０００６】
すなわち、そのような先に提案の担架にあっては、その一対の支持棒が、それぞれ、炭素繊維強化繊維からなる中空のパイプ部材にて構成されているところから、従来の鉄パイプからなる支持棒に比べて極めて軽量化され、総重量も１／２以下と為すことが出来ることにより、緊急災害時等に、保管場所から現場までの長い距離の移動においても、容易にその運搬を行うことが出来、力の弱い取扱者にあっても疲れることがなく、直ちに、後の災害救助活動等に従事することが出来ることとなったのであり、しかも、そのような炭素繊維強化樹脂からなる中空のパイプ部材は、担架上に乗せられる傷病者等の重量によって、或る程度の撓りを生ずるものであるところから、剛直感がなく、傷病者等への負担を和らげることも可能となる等の特徴を有している。
【０００７】
しかしながら、この軽量化された担架にあっては、一対の支持棒の両端部位が連結アームにてそれぞれ連結されて固定された矩形枠体形状の構造体として取り扱われることとなるところから、軽量化に基づくところの取扱者に対する負担は軽減されるものの、その取扱いに際して、嵩高く、そのために取扱いが困難乃至は面倒となる問題が内在しており、また、傷病者等の運搬に際して、傷病者等の身長に合わせて必要最小限のサイズで運搬するということも難しく、更には、担架の収納に際しても、固定された矩形枠体形状の故に、広い収納場所が必要となる等の問題を内在しているのである。
【０００８】
【解決課題】
ここにおいて、本発明は、かかる事情を背景にして為されたものであって、その解決課題とするところは、軽量化を効果的に図りつつ、その矩形枠体構造のコンパクト化を効果的に実現し、以て、その取扱い性や収納性を著しく高め得る伸縮式担架を提供することにある。
【０００９】
【解決手段】
そして、本発明は、かくの如き課題を解決するために、一対の支持棒を互いに平行に所定距離を隔てて位置せしめた状態において、該一対の支持棒の両端部の所定長さ部分をそれぞれ把持部として残して、それら支持棒の対応する両端部間であって、それら把持部よりも支持棒中央部寄りの部位間を連結し、その間隔を維持する連結アームの一対を互いに平行に設けることにより、矩形枠体構造を形成せしめると共に、かかる矩形枠体構造を構成する支持棒部位間にシートを架設してなる担架において、何れも炭素繊維強化樹脂からなる中空のパイプ部材にて形成されている第一及び第二のパイプを用い、該第一のパイプ内に該第二のパイプを挿入して、その挿入量によって長さが変化させられ得るようにした入れ子管式構造の伸縮可能パイプにて、前記一対の支持棒及び前記一対の連結アームをそれぞれ構成すると共に、該伸縮可能パイプに対して、目的とする長さにおいて前記第一のパイプへの前記第二のパイプの挿入量を固定する解除可能なロック機構を設け、更に該ロック機構による前記挿入量の固定を解除し、前記伸縮可能パイプの長さを任意の長さと為し得る解除機構を設け、そして該ロック機構を、前記第一及び第二のパイプのうちの何れか一方のパイプに一端が固定されて収容され、他方のパイプ内に延びる芯棒と、該他方のパイプ内に収容され、該芯棒をクランプして固定せしめ、前記第一及び第二のパイプの相互の位置関係を保持するクランプチェーンとから構成する一方、前記解除機構を、該クランプチェーンを該芯棒の固定を解除する方向に移動せしめる、パイプ軸方向に移動可能な操作パイプを前記他方のパイプ内に配設して、構成すると共に、該操作パイプをパイプ軸方向に移動せしめる操作リングを、前記他方のパイプ側における前記把持部に設けたことを特徴とする伸縮式担架を、その要旨とするものである。
【００１０】
このように、本発明に従う伸縮式担架にあっては、その矩形枠体構造を与える一対の支持棒と一対の連結アームのうちの少なくとも何れか一方が、炭素繊維強化樹脂からなる中空のパイプ部材にて構成される、第一及び第二のパイプを用いた入れ子管式構造の伸縮可能パイプとされているところから、従来の鉄パイプ等の金属製のパイプ部材を用いる場合に比べて、極めて軽量化され、以て緊急災害時等に保管場所から現場までの長い距離の移動においても、その運搬を容易に行うことが出来、力の弱い取扱者に負担をかけること無く、運搬作業を実施し得る等の特徴を発揮し得ることは勿論、支持棒や連結アームが伸縮可能とされていることにより、担架の使用時には伸張せしめて用いる一方、緊急災害時等に保管場所から現場まで運搬する時や収納する時等の、傷病者等を乗せていない場合にあっては、支持棒や連結アームの長さを縮小せしめて、担架の矩形枠体構造の大きさを縮め、以て、その嵩高性の軽減を図ることにより、その運搬や取扱いを容易ならしめ得るのであり、更にはコンパクトな収納が効果的に為され得ることとなるのである。
【００１１】
しかも、かかる一対の支持棒及び／又は一対の連結アームを構成する入れ子管式構造の伸縮可能パイプの伸縮量が、任意に設定され得るようにすることによって、そのような支持棒や連結アームにて構成される矩形枠体構造が、任意の大きさと為し得るのであり、これによって、運搬される患者や傷病者等の身長に合わせて矩形枠体構造の大きさを調節するようにすれば、必要最小限のサイズにて、その運搬を行うことが出来るという特徴も発揮し得るのである。
【００１２】
なお、かくの如き本発明に従う伸縮式担架の望ましい態様の一つによれば、前記伸縮可能パイプにて構成されない前記一対の支持棒又は前記一対の連結アームは、炭素繊維強化樹脂からなる中空のパイプ部材にて構成されていることが望ましく、これによって、伸縮式担架の軽量化をより一層有利に実現せしめることが可能となる。
【００１３】
また、本発明にあっては、前記ロック機構が、前記第一及び第二のパイプのうちの何れか一方のパイプに一端が固定されて収容され、他方のパイプ内に延びる芯棒と、該他方のパイプ内に収容され、該芯棒をクランプして固定せしめ、前記第一及び第二のパイプの相互の位置関係を保持するクランプチェーンとを含んで構成されている一方、前記解除機構が、前記クランプチェーンを、前記芯棒の固定を解除する方向に、移動せしめる作用部材としての操作パイプを含んで構成されている。このようなクランプチェーンによる芯棒の固定により、入れ子管式構造の伸縮可能パイプを構成する第一のパイプと第二のパイプとの間の相対的な位置関係が、任意に且つ効果的に固定せしめられ得て、その全体長さが有利に調節され得ることとなるのである。
【００１４】
さらに、本発明によれば、上記の解除機構における作用部材が、前記支持棒における前記把持部に設けた操作リングによって移動せしめられるようにした構造が、採用され、以て支持棒の長さの調節が、把持部において、簡単に為され得るようになる。
【００１５】
更にまた、本発明の他の望ましい態様の一つによれば、前記シートが、矩形の布の対向する両端部を連結してなる扁平な筒状形態を有し、該筒状形態の内部に前記一対の支持棒が挿入、配置されることにより、該一対の支持棒間におけるシートの架設が実現されている構成が、有利に採用されることとなる。このように、シートが無端ベルト状とされていることにより、そのようなシートの連結部が担架の上面に位置して、運搬される傷病者等との接触が回避され得るところから、かかる連結部に傷病者等から流れ出た血液等が付着して、シートを汚し、その汚れを落とし難くなるような問題も、効果的に回避することが出来るのである。
【００１６】
【発明の実施の形態】
以下、図面を参照しつつ、本発明の構成について、更に具体的に明らかにすることとする。
【００１７】
先ず、図１は、本発明に従う伸縮式担架の一例について、その伸長拡大された平面形態を明らかにする全体説明図であって、そこにおいて、一対の支持棒２，２が、互いに平行に所定距離を隔てて位置せしめられている一方、それら支持棒２，２間には、ビニロン等の合成繊維製の軽量で強靭なシート４が架設乃至張架せしめられていると共に、それら支持棒２，２の対応する両端部間を連結する連結アーム６，６が設けられており、それら連結アーム６，６にて支持棒２，２の間隔が維持されて、シート４上に傷病者等を乗せ得る平坦面が形成され得るようになっている。なお、一対の支持棒２，２と一対の連結アーム６，６とは、Ｔ字型のパイプ継手１０を用いて連結され、それによって、全体として矩形枠体構造を呈する担架として構成されていると共に、そのような継手１０が挿入、固定された支持棒２における、該継ぎ手１０よりも端部側の所定長さ部分が、それぞれ、担架を持ち運びするための把持部８，８とされている。
【００１８】
そして、このような構成の担架において、一対の支持棒２，２及び一対の連結アーム６，６が、何れも、炭素繊維強化樹脂からなる中空のパイプ部材である第一及び第二のパイプを用い、かかる第一のパイプ内に第二のパイプを挿入して、その挿入量によって全体としての長さが変化させられ得るようにした入れ子管式構造の伸縮可能パイプにて、構成されている。また、そのような伸縮可能パイプに対して、目的とする全体長さにおいて、前記第一のパイプへの前記第二のパイプの挿入量を固定する解除可能なロック機構と、そのようなロック機構による前記挿入量の固定を解除し、前記伸縮可能パイプの全体としての長さを任意の長さと為し得る解除機構とが設けられ、以てそれらの機構により、その伸縮作動を行い得るようになっている。
【００１９】
ここにおいて、そのような入れ子管式構造の伸縮可能パイプにて構成される支持棒２や連結アーム６について、その伸縮構造は同一とされており、そこでは、図４〜図６に示される支持棒２の構造より明らかな如く、支持棒２は、第一のパイプとしてのガイドパイプ１２と、そのようなガイドパイプ１２内に摺動自在に挿入せしめられる第二のパイプとしてのスライドパイプ１４とを有しており、ガイドパイプ１２内へのスライドパイプ１４の挿入量によって、支持棒２の全体としての長さが変化させられ得るようになっており、これによって、入れ子管式構造の伸縮可能パイプとなっている。
【００２０】
なお、かかる支持棒２を構成するガイドパイプ１２及びスライドパイプ１４には、何れも、炭素繊維強化樹脂からなる中空のパイプ部材が用いられており、そのようなパイプ部材は、良く知られているように、炭素繊維を織成してなるカーボンクロスを円筒状に巻いた状態において、それに含浸せしめたエポキシ樹脂等の熱硬化型の樹脂を加熱硬化せしめることによって、得られる複合パイプ部材であって、ここでは、カーボンクロスと共に、更にガラス繊維を織成してなるガラスクロスが積層されて円筒状とされ、所定の樹脂にて硬化、一体化せしめられてなる構造とされている。
【００２１】
そして、ガイドパイプ１２のスライドパイプ１４が挿入される側とは反対側の端部に位置固定に取り付けられた端部キャップ１６に対して、真直な芯棒１８の一端が固定され、ガイドパイプ１２内の中心軸上を延び、スライドパイプ１４の挿入側の端部から所定長さ突出した形態において、配設されている。
【００２２】
また、スライドパイプ１４には、その挿入側の先端部に、中心孔を備えたスライド部材２０が、嵌着固定せしめられており、更に、このスライド部材２０内に収容された形態において、クランプチェーン２２が、収容配置されている。このクランプチェーン２２は、図５及び図６から明らかな如く、左右に配したリンクプレート２４と、この左右のリンクプレート２４によって交互に連結される、挿通せしめられる芯棒１８の両側に位置する連結軸としてのピン２６と、リンクプレート２４の間におけるピン２６を連結するように架設された、引張力を有するスプリング２８とから、構成されている。更に、かかるクランプチェーン２２は、その一端がスライド部材２０内に設けた凹部２０ａに支持されている一方、他端がスライドパイプ１４内において軸方向に移動可能とされたスライド片３０に設けられた溝３０ａに支持されて配設されている。
【００２３】
さらに、スライドパイプ１４内には、同心的に、操作パイプ３２が配置せしめられており、この操作パイプ３２は、スライドパイプ１４の壁部に設けた長孔を通じてスライドパイプ１４の外周面に摺動可能に設けた操作リング３４に固定せしめられている。そして、この操作リング３４の軸方向への移動によって、操作パイプ３２がスライドパイプ１４内において軸方向に移動せしめられ得るようになっている一方、スライドパイプ１４の挿入側端部に対応する操作パイプ３２の端部には、中心孔を有するスライダー３６が固定されていると共に、このスライダー３６に対して、前記スライド片３０が取り付けられ、操作パイプ３２の軸心方向への移動によって、スライド片３０が、スライダー３６と共に、一体的に軸心方向に移動せしめられ得るようになっている。
【００２４】
そして、かかる構造のスライドパイプ１４が、その先端に設けられたスライド部材２０からガイドパイプ１２に対して挿入せしめられると、ガイドパイプ１２内に立設、固定せしめた真直な芯棒１８は、その先端から、スライド部材２０の中心孔内に挿通され、次いで、クランプチェーン２２の各ピン２６が交互に両側に位置するように、図６に示される如く、クランプチェーン２２の中心の通孔に挿通され、更に、スライダー３６の中心孔を通って、操作パイプ３２内に延びるように配置せしめられるのである（図４参照）。そして、また、そのような挿通状態において、スプリング２８の付勢力によって、クランプチェーン２２は、そのジグザグ形状が延びる方向に付勢され、芯棒１８が、その両側からピン２６にて押圧されることにより、クランプチェーン２２にて、かかる芯棒１８が挟持（固定）せしめられるようになっていると共に、スライド片３０及びスライダー３６を通じて、操作パイプ３２が、スライドパイプ１４に対してスライド片３０から最も離れた位置に位置せしめられるように、付勢されている。なお、スライドパイプ１４は、ガイドパイプ１２の先端に取り付けられたガイド筒３８の中心孔に摺動可能に挿通せしめられており、このガイド筒３８とスライド部材２０とによって、ガイドパイプ１２とスライドパイプ１４との径方向の位置関係が規定されるようになっている。
【００２５】
従って、このような入れ子管式構造の伸縮可能パイプからなる支持棒２にあっては、その操作リング３４をガイドパイプ１２側に移動せしめて、操作パイプ３２をスプリング２８の付勢力に抗してスライド部材２０に対して近接する方向に移動せしめると、スライド片３０によって、クランプチェーン２２は、スプリング２８の付勢力に抗して圧縮される。そうすると、各リンクプレート２４は、水平方向にその傾斜角度が移行し、そのジグザグ形状が密となるところから、芯棒１８を挟んでいるピン２６の間隔が広くなり、芯棒１８に対する圧接力が解消されて、クランプチェーン２２は、芯棒１８に対して軸方向にスライド可能となるのであり、これによって、ガイドパイプ１２に対するスライドパイプ１４の挿入量を任意に設定することが出来るのである。
【００２６】
また、このようにして、ガイドパイプ１２に対するスライドパイプ１４の挿入量を調整し、規定することにより、その全体としての長さが、支持棒２の目的とする長さとなった後、操作リング３４の軸方向の移動を中止すれば、操作パイプ３２は、スプリング２８の付勢力によって、スライドパイプ１４に対して操作リング３４の配設側に移動させられ、後退せしめられることとなるところから、芯棒１８を挟んでいるクランプチェーン２２のピン２６の間隔が、スプリング２８の付勢力によって狭くなり、ピン２６は芯棒１８に押し付けられて、クランプチェーン２２が芯棒１８に対して軸方向にスライドするのを阻止することとなり、以て、支持棒２の全体としての長さが固定されることとなるのである。
【００２７】
なお、このような構造の入れ子管式の伸縮可能パイプにあっては、ロック機構が、芯棒１８とそれをクランプするクランプチェーン２２とを含んで構成されており、また、解除機構としては、そのようなクランプチェーン２２をそのピン２６による芯棒１８の固定を解除する方向に移動せしめる、作用部材としての操作パイプ３２を含んで構成されているのである。加えて、ここでは、そのような操作パイプ３２を軸方向に移動せしめる操作リング３４が、操作部材を構成していると共に、かかる操作リング３４は、ここでは、図１や図２に示される如く、支持棒２の端部の把持部８に設けられているのである。
【００２８】
従って、かくの如き入れ子管式構造の伸縮可能パイプにて構成される支持棒２の一対と、更に、同様な入れ子管式構造の伸縮可能パイプにて構成してなる連結アーム６（支持棒２の各部材に対応する部分は、同一の符号が付されている）の一対とを用いて構成された、図１に示される如き担架の矩形枠体形状は、上述せる如く、それら支持棒２や連結アーム６に設けられている操作リング３４を操作し、軸方向に移動せしめることにより、前述せる如き機構に従って、その長さが伸縮せしめられ、以て、例えば、図１の如き全伸張状態から、支持棒２や連結アーム６が所定の長さまで縮小せしめられることにより、図３に示される如き、小さな矩形枠体構造に、容易に変化せしめられ得るのであり、これによって、その嵩高性が緩和されることとなって、その持ち運びや収納に際しての取扱いが、効果的に容易とならしめられ得るのであり、また、収納スペースの低減も効果的に図り得ることとなるのである。
【００２９】
しかも、そのような担架の矩形枠体構造は、一対の支持棒２，２や一対の連結アーム６，６のそれぞれの長さを適宜に調節して設定し得るところから、傷病者が子供の如き小さな体型の場合には、そのような傷病者の身長に合わせて、支持棒２や連結アーム６の長さを調節するようにすれば、必要最小限のサイズの矩形枠体構造の担架として用いることが出来るところから、その運搬作業の更なる改善を効果的に図り得るのである。
【００３０】
また、かかる例示の担架において、支持棒２，２間に架設されるシート４としては、矩形の布の対向する両端部を連結してなる、扁平な筒状形態を呈するものが用いられており、そのような筒状形態の内部に一対の支持棒２，２が挿入、配置されて、互いに離隔せしめられることにより、かかる一対の支持棒２，２間におけるシート４の架設が実現せしめられていることによって、そのようなシート４の上面には、連結部が配置されないようにすることが出来、これによって、傷病者等から流れ出た血液等が、かかる連結部に染み込み、そこを汚すようなことが効果的に回避され、以て清潔なシート状態を有利に確保し得るのである。
【００３１】
さらに、伸縮長さの調節のために操作される操作リング３４が、支持棒２の場合にあっては、その把持部８の部位に位置せしめられているところから、そのような操作リング３４の操作を容易に行い得る利点があり、これによっても、そのような構造の担架の利便性が高められ得ることとなる。
【００３２】
以上、本発明の理解を容易にするために、本発明の一具体例を挙げ、詳細に説明してきたが、そのような具体例は、あくまでも本発明に従う伸縮式担架の一例に過ぎないものであって、それにより、本発明が限定的に解釈されるものでは決してなく、本発明の趣旨を逸脱しない限りにおいて、本発明には、当業者の知識に基づいて、種々なる改良、修正、変更等が加えられ得るものであって、そのような態様の何れもが、本発明の範疇に属するものであることが、理解されるべきである。
【００３４】
また、支持棒２と連結アーム６の伸縮構造にあっても、同一の構造が採用されるのみならず、異なる伸縮構造を採用しても何等差支えなく、更に、ロック機構とその解除機構についても、公知の各種のものが適宜に選択されて、使用されることとなる。
【００３５】
さらに、例示の具体例において示した、芯棒１８とそれをクランプするクランプチェーン２２を含むロック機構や、操作パイプ３２やそれを操作するための操作リング３４を含む解除機構の構造にあっても、公知の各種の構造が適宜に採用され得、更にまた、そのようなロック機構におけるクランプチェーン２２を付勢するスプリング２８にあっても、そのようなクランプチェーン２２によって芯棒１８が固定されるように付勢力を及ぼす各種構造のばね手段を用いることが可能である。
【００３６】
【発明の効果】
以上の説明から明らかな如く、本発明に従う伸縮式担架にあっては、その矩形枠体構造を構成する一対の支持棒と一対の連結アームの少なくとも何れか一が伸縮構造のパイプにて構成され、その長さが伸縮せしめられ得るようになっているところから、矩形枠体構造の大きさが、担架としての使用或いは不使用時において適宜に調節され得ることにより、その取扱いが極めて容易ならしめられ得ると共に、収納スペースも効果的に小さく為し得ることに加えて、傷病者等の体型（身長）に合わせて、必要最小限のサイズとした状態において運搬せしめ得る等の効果を奏し得るのである。
【図面の簡単な説明】
【図１】本発明に従う伸縮式担架の一例における、伸長拡大された平面形態を明らかにする全体説明図である。
【図２】図１に示される伸縮式担架における一方の端部部分を拡大して示す説明図である。
【図３】図１に示される伸縮式担架の支持棒及び連結アームを縮小した状態の一例を示す、図１に対応する図である。
【図４】図１に示される伸縮式担架に用いられる支持棒の縦断面を概略的に示す説明図である。
【図５】図４における支持棒を構成するスライドパイプのクランプチェーンが配設された先端部分の構造を拡大して示す断面説明図である。
【図６】図５に示される断面に対して垂直な方向の断面（横断面）において、クランプチェーンによる芯棒の挟持形態を示す説明図である。
【符号の説明】
２  支持棒
４  シート
６  連結アーム
８  把持部
１０  継手
１２  ガイドパイプ
１４  スライドパイプ
１６  端部キャップ
１８  芯棒
２０  スライド部材
２２  クランプチェーン
２４  リンクプレート
２６  ピン
２８  スプリング
３０  スライド片
３２  操作パイプ
３４  操作リング
３６  スライダー
３８  ガイド筒
【図１】
0003981703.tif 000002
【図２】
0003981703.tif 000003
【図３】
0003981703.tif 000004
【図４】
0003981703.tif 000005
【図５】
0003981703.tif 000006
【図６】
0003981703.tif 000007